(57)【要約】【課題】  地下構造物用鉄蓋などに設けられているロック装置に土砂や塵埃が入り込むのを防止する。【解決手段】  地下構造物用鉄蓋などのロック装置取付穴内に設けたロック装置に取り付けられる防塵カバーについて、ロック装置１４の外側に被せられるとともに、それによってロック装置取付穴内に収まり、かつロック装置取付穴１３の上端よりも低くなる高さの筒型に設けられた、弾性材より成るカバー本体２１を有し、カバー本体２１はロック装置取付穴１３の壁面に接する上部シール部２５を側面の上部に有するとともに、側面の下部シール部２６を有しているものとする。【選択図】          図２
2005171690.tif 000002
【特許請求の範囲】
【請求項１】
地下構造物用鉄蓋などのロック装置取付穴内に設けたロック装置に取り付けられる防塵カバーであって、ロック装置の外側に被せられるとともに、それによってロック装置取付穴内に収まり、かつロック装置取付穴の上端よりも低くなる高さの筒型に設けられた、弾性材より成るカバー本体を有し、カバー本体はキー取付穴の壁面に接する上部シール部を側面の上部に有するとともに、側面の下部に下部シール部を有していることを特徴とする地下構造物のロック装置取付穴用防塵カバー。
【請求項２】
カバー本体は、上部シール部の下方の側面にアンダーカット部を有しており、上部シール部を弾性変形させて差し込まれる、取り外し工具をアンダーカット部に掛け止める構成を有している請求項１記載の地下構造物のロック装置取付穴用防塵カバー。
【請求項３】
カバー本体は、ゴムなどの弾性材より成る型成形品であり、上部シール部及び下部シール部がカバー本体の一部として、つば状に一体成形されている請求項１記載の地下構造物のロック装置取付穴用防塵カバー。
【請求項４】
上部シール部は弾性リングより成り、カバー本体側面の上部に設けられている溝部に嵌め込まれている請求項１又は２記載の地下構造物のロック装置取付穴用防塵カバー。
【請求項５】
下部シール部はつば状を有しており、その外周の上部に上向きのエッジ部が設けられている請求項１記載の地下構造物のロック装置取付穴用防塵カバー。
【発明の詳細な説明】
【技術分野】
【０００１】
本発明は、地下構造物用鉄蓋などのロック装置取付穴内に設けたロック装置に取り付けられる防塵カバーに関するものである。
【背景技術】
【０００２】
例えば、通信用ケーブルに用いられる情報ボックスなどの地下構造物用鉄蓋には、保安上より信頼性の高いシリンダロックなどの施錠装置が使われている。シリンダロックは精密錠であり、僅かな土砂がロック装置取付穴から内部に入っても作動不良を起こし、最悪の場合にはロックを解除できず、鉄蓋を開けられなくなる恐れがある。このため従来は、図６に示すようにロック装置ａを覆うゴムカバーｂを取り付けていたが、ゴムカバーｂとその外周の隙き間ｃに土砂などが詰まり、それがゴムカバーｂを取り外したときにロック装置取付穴内よりロック装置ａに入り込み作動不良を起こすことがあった。ゴムカバー外周の隙き間に詰まった土砂などｄは取り出しにくく、完全に除去しないときには詰まった土砂などｄが邪魔をしてゴムカバーｂを正規の位置に組み付けられず、図７に示すように鉄蓋表面より出る状態になり、通過車両のタイヤから伝わる外力によってゴムカバーが外れてしまうという問題があった。
【０００３】
【特許文献１】特開２０００−１８６８
【発明の開示】
【発明が解決しようとする課題】
【０００４】
本発明は前記の点に着目してなされたものであり、その課題は、地下構造物用鉄蓋などに設けられているロック装置に土砂や塵埃が入り込むのを防止することである。また本発明の他の課題は、地下構造物用鉄蓋などのロック装置取付穴内に土砂や塵埃が入り込むのを防止すると同時に、入り込んでしまった土砂や塵埃を、防塵カバーを取り外すときに掻き出せるようにすることである。また本発明の他の課題は、ロック装置に正しく取り付けられ、かつ取り外しも容易である地下構造物のロック装置取付穴用防塵カバーを提供することである。
【課題を解決するための手段】
【０００５】
前記の課題を解決するため、本発明は、地下構造物用鉄蓋などのロック装置取付穴内に設けたロック装置に取り付けられる防塵カバーについて、ロック装置の外側に被せられるとともに、それによってロック装置取付穴内に収まり、かつロック装置取付穴の上端よりも低くなる高さの筒型に設けられた、弾性材より成るカバー本体を有し、カバー本体はロック装置取付穴の壁面に接する上部シール部を側面の上部に有するとともに、側面の下部に下部シール部を有しているという構成を具備する。
【０００６】
本発明に係る防塵カバーのカバー本体は、ロック装置の外側に被せることでロック装置に取り付けられ、取付られると取付穴内に収まる筒型の形態を有している。カバー本体は前記したように筒型であるが、その下方で開放し上方で閉塞した筒型であり、また、正規に取り付けたときに、カバー本体の上端はロック装置取付穴の上端よりも低くなるように設定されており（図２）、通過車両のタイヤの外力を受けることが少ない。それ以外に
は、筒型の内側面がロック装置穴部外側面の凹凸部に押し付けられるような形状、寸法を有していることが、防塵カバーの取り付けの安定性と雨水侵入を防ぐ防水性を実現するために望ましい。しかしこれらは設計上の問題でもある。
【０００７】
カバー本体には、外側面の上部と下部に夫々上部シール部と下部シール部を設けてい
る。これらは、土砂や塵埃に対する侵入防止効果を発揮するものであり、かつ同時に、入り込んでしまった土砂や塵埃を、防塵カバーを取り外すときに掻き出せる機能を有することを特徴とする。上部シール部はロック装置取付穴の壁面に接して隙き間を生じないことにより、土砂や塵埃が入り込むこと自体を防ぐ目的を持ち、そのためにロック装置取付穴に正しく取り付けられたときには、ロック装置取付穴の壁に接する周辺部が弾性変形してめくれ上がった状態となることが望ましい（図２参照）。弾性変形によりシール性が向上し、また嵌合力が増大する。下部シール部もロック装置取付穴の壁面方向に延び出した形態を有するが、壁面に接するか又は接しない程度で良い。なお下部シール部には掻き出し用に上向きのエッジ部を設けるとより効果的である。
【０００８】
カバー本体の側面には、アンダーカット部を、上部シール部の下方に設けることが望ましい。このアンダーカット部は、本案防塵カバーの取り外しの際に工具を掛け止めて引き上げる操作に耐える形態及び材質を備えている必要がある。取り外しのための工具は、上部シール部を弾性変形させてアンダーカット部に差し込まれるので、アンダーカット部は上部シール部に接近した位置に設けられる。例示のアンダーカット部は、カバー本体の側面外径を小径にすることにより設けており、全周に亘っているが、これを部分的なものとしかつ設置箇所をカバー本体上面に示すようにしても良い。
【０００９】
カバー本体は、ゴムなどの弾性材より成る型成形品として形成することができ、また上部シール部及び下部シール部を、型成形の際に、カバー本体の一部として形成することができる。この場合上部シール部及び下部シール部をつば状ないしはフランジ状に設けることができるし、また別の形態を取ることもできる。つば状以外の形態としては、例えばＯ−リングのような弾性リングを用い得るが、その場合カバー本体には弾性リングの取り付け部として溝部を設けることになる。弾性リング類を用いるのは上部シール部の方が下部シール部よりも適している。
【発明の効果】
【００１０】
本発明は以上の如く構成されかつ作用するものであるから、地下構造物用鉄蓋などのロック装置取付穴及びロック装置に土砂や塵埃が入り込むのを防止することができると同時に、入り込んでしまった土砂や塵埃を、防塵カバーを取り外す際に掻き出せるものであるから、ロック装置及びその取付穴が常時清浄に保たれロック装置に不具合を生じさせることがなく、また本発明の防塵カバーのロック装置に対する取り付けや取り外しを正しくかつ容易に実施し得るという効果を奏する。
【発明を実施するための最良の形態】
【００１１】
以下図示の例を参照して本発明をより詳細に説明する。図１は、本発明を適用するマンホール鉄蓋１０の例１を示しており、マンホール鉄蓋１０は鉄蓋本体１１と受枠１２とから成っていて、その鉄蓋本体１１のロック装置取付穴１３にロック装置１４が取り付けられている（図２）。
【００１２】
ロック装置１４は、シリンダー錠として図示されていることから分かるように精密構造錠であり、上部のロック装置操作部にねじキャップ１５が取り付けられ、かつ鉄蓋本体１１にボルト止め１６されている。１７はゴムパッキン、１８はロックプレートであり、受枠１２の施錠部１９に対して前進、後退し施錠、解錠状態を取る。
【００１３】
本発明に係る防塵カバー２０は、ロック装置１４の外側に被せることでロック装置取付穴１３の内部に収まる大きさ及び形状を有する、上が閉じ下が開いた筒型に形成されているカバー本体２１を有する。カバー本体２１の内側２２は、ロック装置１４に被せたときにロック装置外側の凹凸部２３に押し付けられ嵌合状態となる。カバー本体２０は、ロック装置上端への嵌合時にロック装置取付穴１３の上端よりも低くなる高さを有しており、またその嵌合を確実にする上端のやや拡大された空所２４を有している。
【００１４】
カバー本体２１は、ロック装置取付穴１３の壁面に接して弾性変形可能なつば状の上部シール部２５を有する。上部シール部２５はカバー本体２１の側面の上部に全周に亘って設けられており、ロック装置取付穴１３の穴径よりも一回り以上大径に設けられていることによってその壁面に接すると大きく彎曲した状態となる。またカバー本体２１の側面の下部には下部シール部２６が全周に亘って設けられている。下部シール部２６はロック装置取付穴１３の壁面に僅かに接しない程度の外径を有するつば状に形成されている。さらに下部シール部２６は、その外周の上部に上向きのエッジ部２７を有しており、それによってエッジ部２７の内側が土砂や塵埃の受け皿となり、かつ土砂等を掻き出す作用を奏する。
【００１５】
このような構成を有する本発明の例１の場合、ロック装置１４に被せて取り付けた状態では、図２及び図３（ｃ）に示すように、その上面がロック装置取付穴１３の上端よりも低い位置に収まり、自動車が通過してもタイヤの外力を全く或いは僅かしか受けないた
め、防塵カバーが飛び出してしまうことはない。防塵カバー２０は、上部シール部２５がロック装置取付穴１３の壁に接して弾性変形し、隙間を完全に塞いでいるため土砂や塵埃を効果的に遮断するとともに、予想外の事情により上部シール部２５を通過したものも下部シール部２６に受け止められる。さらに、カバー本体２１を取り外すとき、エッジ部２７で掻き上げるため、ロック装置取付穴１３に侵入するものは皆無に近い。図４参照。従って本発明の防塵カバー２０で覆われているロック装置１４の周囲は殆ど無塵の状態に保持され、ロック装置１４を故障から効果的に保護することができる。
【００１６】
図５は、上部シール部として、Ｏ−リング状の弾性リング２８を用いた構成を有する本発明の例２を示す。弾性リング２８の取り付け部として溝部２９をカバー本体２１の側面の上部に設けている。弾性リング２８を用いる場合、例１におけるつばの変形とは関係がないが、ほぼ完全な気密性及び水密性を得ることができるとともに、弾性リング２８が損傷したときにはそれだけを交換すれば良いので、より低コストで済む。
【００１７】
さらに、本発明のカバー本体２１には、上部シール部２５、２８の下方の側面にアンダーカット部３０が設けられている。このアンダーカット部３０は例１、例２に共通しており、上部シール部２５、２８を弾性変形させて差し込まれる、取り外し工具を掛け止めるために設けられている。なお、取り外し工具については特に図示しないが、ドライバー特にマイナスねじ用のものが適当である。また例示の防塵カバー２０の場合、エチレン−プロピレンゴム（特にＥＰＤＭが好適である）を材料とし、全体を一体成形して形成する。この種のものは、金型構造によって価格が左右されるが、本発明の場合、上部シール部（例１の場合）及び下部シール部がつば状のため、例１の場合には上部シール部にパーティングラインを設定することにより、金型２個で構成することができ、従って、より低コストで製造可能である。
【図面の簡単な説明】
【００１８】
【図１】本発明に係るロック装置取付穴用防塵カバーを適用した地下構造物であるマンホール鉄蓋の平面図。
【図２】図１のＩＩ−ＩＩ線断面図。
【図３】（ａ）本発明に係る防塵カバーの１例を示す平面図。（ｂ）同じく中央縦断面図。（ｃ）上部シール部の作用説明図。
【図４】本発明の例１の作用説明を兼ねる断面図。
【図５】本発明の例２の断面図。
【図６】従来例の問題点１を示す断面図。
【図７】従来例の問題点２を示す断面図。
【符号の説明】
【００１９】
１０  マンホール鉄蓋
１３  ロック装置取付穴
１４  ロック装置
２０  防塵カバー
２１  カバー本体
２２  その内側
２３  凹凸部  
２４  空所
２５、２８  上部シール部
２６  下部シール部
２７  エッジ部
２９  溝部
３０  アンダーカット部
【図１】
2005171690.tif 000003
【図２】
2005171690.tif 000004
【図３】
2005171690.tif 000005
【図４】
2005171690.tif 000006
【図５】
2005171690.tif 000007
【図６】
2005171690.tif 000008
【図７】
2005171690.tif 000009